(57)【要約】【課題】多様なニーズに対応できる水栓装置を提供することを課題とする。【解決手段】吐水部を有する水栓本体５を備える。吐水部に通じる水路７より分岐して水栓本体５から上方に向かって延びる接続管６を備える。接続管６に異なる種類のシャワー装置３を選択的に接続するための接続手段を備える。【選択図】図１
2013126472.tif 000002
【特許請求の範囲】
【請求項１】
吐水部を有する水栓本体と、前記吐水部に通じる水路より分岐して前記水栓本体から上方に向かって延びる接続管と、この接続管に異なる種類のシャワー装置を選択的に接続するための接続手段を備えたことを特徴とする水栓装置。
【請求項２】
前記接続手段が前記種類の異なるシャワー装置毎に設けられたシャワー接続部で構成されたことを特徴とする請求項１に記載の水栓装置。
【発明の詳細な説明】
【技術分野】
【０００１】
本発明は、シャワー装置を接続可能な水栓装置に関する。
【背景技術】
【０００２】
特許文献１には、浴室の壁面に設けられる湯水混合水栓が開示されている。この湯水混合水栓には、シャワーホースとシャワーヘッドで構成されたシャワー装置が設けられている。
【先行技術文献】
【特許文献】
【０００３】
【特許文献１】特開２００９−２８４９６４号公報
【発明の概要】
【発明が解決しようとする課題】
【０００４】
ところで、特許文献１の湯水混合水栓には、シャワー装置を一種類しか接続することができず、利用者の選択の幅が狭く、多様なニーズに対応し難い。
【０００５】
本発明は上記事情に鑑みてなされたものであって、多様なニーズに対応できる水栓装置を提供することを課題とする。
【課題を解決するための手段】
【０００６】
上記課題を解決するために本発明の水栓装置は、吐水部を有する水栓本体と、前記吐水部に通じる水路より分岐して前記水栓本体から上方に向かって延びる接続管と、この接続管に異なる種類のシャワー装置を選択的に接続するための接続手段を備えたことを特徴とする。
【０００７】
また、前記接続手段が前記種類の異なるシャワー装置毎に設けられたシャワー接続部で構成されることが好ましい。
【発明の効果】
【０００８】
本発明にあっては、複数種類のシャワー装置の中から選択したシャワー装置を接続することができ、これにより多様なニーズに対応することができる。
【図面の簡単な説明】
【０００９】
【図１】第一実施形態のシャワー付き水栓装置を示す説明図である。
【図２】（ａ）は同上の水栓装置の正面図であり、（ｂ）〜（ｈ）は、水栓装置とシャワー装置の組み合わせで構成されるシャワー付き水栓装置の正面図である。
【図３】（ａ）は第二実施形態の水栓装置の正面図であり、（ｂ）〜（ｈ）は、第二実施形態の水栓装置とシャワー装置の組み合わせで構成されるシャワー付き水栓装置の正面図である。
【図４】第三実施形態のシャワー付き水栓装置を示す説明図である。
【図５】第四実施形態のシャワー付き水栓装置を示す説明図である。
【発明を実施するための形態】
【００１０】
以下、本発明を添付図面に基づいて説明する。
【００１１】
（第一実施形態）
図１には、本実施形態の水栓装置２とシャワー装置３で構成されたシャワー付き水栓装置１が示されている。このシャワー付き水栓装置１は、浴室の壁の室内側の面に沿って設けられて入浴装置として利用される。
【００１２】
水栓装置２は、浴室の壁に固定される水栓本体５と、水栓本体５から上方に突出した接続管６を備えている。水栓本体５は、給水管（不図示）から供給された常温の水と、給湯管（不図示）から供給された高温の湯を所望の割合で混合し、これにより得られた湯水を吐水部から吐出する湯水混合水栓である。
【００１３】
水栓本体５には、湯温調節用操作部８が設けられている。湯温調節用操作部８を操作することで、前記水と湯の混合比を調節して、生成される湯水の温度調節を行えるようになっている。
【００１４】
水栓本体５の外殻は、左右方向に長い略矩形箱状に形成されている。水栓本体５の下面には、前記吐水部として下方に向けて湯水を吐出する吐水口部４が設けられている。水栓本体５の内部には、前記給水管から供給された水と前記給湯管から供給された湯を混合した後の湯水を吐水口部４に供給するための水路７が設けられている。
【００１５】
水栓本体５の側端部には、シャワー装置３であるハンドシャワー１４を接続可能なハンドシャワー接続部２５が設けられている。ハンドシャワー接続部２５は、吐水口部４に通じる水路７に連通接続されている。
【００１６】
接続管６は水路７から分岐しており、水栓本体５の上面における左右方向の中央部から略鉛直な上方に向けて突出している。水栓本体５の前面には、操作部１７が設けられている。操作部１７を操作することで、水路７における湯水の流れ方向を、吐水口部４側、ハンドシャワー接続部２５側、及び接続管６側の三方のうちのいずれか一方に選択的に切り替えられるようになっている。
【００１７】
操作部１７によって操作される弁は、例えば水路７において吐水口部４側、ハンドシャワー接続部２５側、及び接続管６側の三方に分岐する個所に設けられた弁で構成される。この弁は、吐水口部４、ハンドシャワー接続部２５、及び接続管６の夫々に供給される湯水の量を調節する機能（供給の有無の切り替えを含む）を有する。
【００１８】
なお、前記弁は湯水の吐出量を調節する機能を有さないものであってもよい。この場合、水路７の弁よりも上流側に流量調整機能を有する他の弁を設けたり、水路７の吐水口部４側、ハンドシャワー接続部２５側、及び接続管６側の夫々に流量調整機能を有する他の弁を設けることで、上記同様に湯水の吐出量を調節することが可能になる。
【００１９】
水路７における湯水の流れ方向を切り替える手段も前記弁に限定されるものではない。例えば、吐水口部４に通じる水路７において、接続管６側に分岐する箇所と、ハンドシャワー接続部２５側に分岐する箇所を別位置に設け、水路７の接続管６側、ハンドシャワー接続部２５側、吐水口部４側の夫々に開閉弁を設ける等してもよい。
【００２０】
水栓本体５から上方に向かって延びる接続管６の上端部には、当該接続管６に対して複数種類のシャワー装置３の中から選択された一乃至複数種類のシャワー装置３を接続するための接続手段が設けられている。本実施形態では、接続手段を用いることで、オーバーヘッドシャワー１９とアームシャワー１８の二種類のシャワー装置３の中から選択された任意のシャワー装置３を接続管６に選択的に接続できるようになっている。
【００２１】
接続手段は、シャワー装置３毎に設けられたシャワー接続部９、１０で構成されている。一方のシャワー接続部９は、オーバーヘッドシャワー１９の接続に用いられる。シャワー接続部９は、接続管６の最上端部で構成されるオーバーヘッドシャワー接続口部１３で構成されている。
【００２２】
他方のシャワー接続部１０は、アームシャワー１８の接続に用いられる。シャワー接続部１０は、接続管６の上端部の左右両側に設けられたアームシャワー接続口部１２で構成されている。両アームシャワー接続口部１２は同レベルに設けられており、オーバーヘッドシャワー接続口部１３よりも下方に位置している。
【００２３】
接続管６のオーバーヘッドシャワー接続口部１３側と両アームシャワー接続口部１２側とに分岐する分岐部の前面には、操作部２０が設けられている。以下、操作部１７を第一操作部１７と記載し、操作部２０を第二操作部２０と記載する。
【００２４】
第二操作部２０を操作することで、水栓本体５から接続管６に供給された湯水の流れ方向を、シャワー接続部１０（両アームシャワー接続口部１２）側、及びシャワー接続部９側のうちのいずれか一方に選択的に切り替えられるようになっている。
【００２５】
ハンドシャワー１４は、可撓性を有するシャワーホース１５と、シャワーホース１５の一端部に設けれらたシャワーヘッド１６で構成されている。シャワーホース１５のシャワーヘッド１６と反対側の端部には、水栓本体５のハンドシャワー接続部２５に着脱自在に接続可能な被接続部２９が設けられている。被接続部２９をハンドシャワー接続部２５に接続することで、水路７の湯水をハンドシャワー接続部２５からシャワーホース１５を介してシャワーヘッド１６に供給して吐出することが可能になる。
【００２６】
オーバーヘッドシャワー１９は、縦長の被接続管２６と、被接続管２６の上端部に設けられたシャワーヘッド２７で構成されている。シャワーヘッド２７の下面には、多数の吐水孔３３が設けられている。
【００２７】
被接続管２６の下端部には、接続管６のオーバーヘッドシャワー接続口部１３に着脱自在に接続可能な被接続部２８が設けられている。被接続部２８をオーバーヘッドシャワー接続口部１３に接続する。これにより、水路７の湯水をオーバーヘッドシャワー接続口部１３から被接続管２６を介してシャワーヘッド２７に供給し、この湯水を多数の吐水孔３３から下方に向けてシャワー状に吐出できるようになっている。
【００２８】
アームシャワー１８は、一方のアームシャワー接続口部１２に接続されるアーム部材３０と、他方のアームシャワー接続口部１２に接続されるアーム部材３１で構成されている。
【００２９】
各アーム部材３０、３１は、被接続管２１とアーム２２で構成されている。被接続管２１は左右方向に長い横管で構成されている。
【００３０】
アーム２２は、一端部が被接続管２１の端部に連結されている。アーム２２は、被接続管２１の軸方向に対して略直交する方向に突出している。アーム２２は被接続管２１に対して被接続管２１の軸方向と略平行な回動軸を中心に回動自在に設けられている。
【００３１】
アーム２２は図１に示すように、被接続管２１から下方に突出させた非使用状態にしたり、被接続管２１から前方に突出させた使用状態にしたりすることができる。アーム２２の被接続管２１側の側面には多数の吐水孔２４が形成されている。
【００３２】
被接続管２１のアーム２２と反対側の端部には、接続管６の対応するアームシャワー接続口部１２に着脱自在に接続可能な被接続部２３が設けられている。被接続部２３を対応するアームシャワー接続口部１２に接続することで、水路７の湯水をアームシャワー接続口部１２から被接続管２１を介してアーム２２に供給し、この湯水を多数の吐水孔２４から側方に向けてシャワー状に吐出できるようになっている。
【００３３】
本実施形態の水栓装置２は、図２（ａ）に示すようにシャワー装置３を取り付けずに単独で利用することができる。また、前記複数種類のシャワー装置３の中から選択された一乃至複数のシャワー装置３と組み合わせることにより、図２（ｂ）〜（ｈ）に示すように所望のシャワー装置３を有するシャワー付き水栓装置１として利用することができる。
【００３４】
図２（ｈ）には、水栓装置２に、ハンドシャワー１４、オーバーヘッドシャワー１９、及びアームシャワー１８の三種類全てのシャワー装置３を接続してシャワー付き水栓装置１を構成した例を示している。
【００３５】
この図２（ｈ）に示すシャワー付き水栓装置１は、第一操作部１７を操作して水路７における湯水の流れ方向を図１のａ１に示す吐水口部４側に切り替えることで、吐水口部４から湯水を吐出することができる。また、第一操作部１７を操作して水路７における湯水の流れ方向を、図１のａ２に示すハンドシャワー接続部２５側に切り替えることで、ハンドシャワー１４から湯水を吐出することができる。また、第一操作部１７を操作して水路７における湯水の流れ方向を図１のａ３に示す接続管６側に切り替え、第二操作部２０を操作して接続管６における湯水の流れ方向を図１のａ４に示すオーバーヘッドシャワー接続口部１３側に切り替える。これにより、オーバーヘッドシャワー１９から湯水を吐出することができる。また、第一操作部１７を操作して水路７における湯水の流れ方向を接続管６側に切り替え、第二操作部２０を操作して接続管６における湯水の流れ方向を図１のａ５に示す両アームシャワー接続口部１２側に切り替える。これにより、アームシャワー１８から湯水を吐出することができる。
【００３６】
図２（ｅ）〜（ｇ）には、水栓装置２に二種類のシャワー装置３を接続してシャワー付き水栓装置１を構成した例を示している。これら水栓装置２も、第一操作部１７や第二操作部２０を操作することで、吐水口部４より湯水を吐出したり、接続されたシャワー装置３の中から選択されたシャワー装置３より湯水を吐出することができる。
【００３７】
図２（ｂ）〜（ｄ）は、水栓装置２に一種類のシャワー装置３を接続してシャワー付き水栓装置１を構成している。これら水栓装置２も、第一操作部１７を操作することで、吐水口部４より湯水を吐出したり、接続されたシャワー装置３より湯水を吐出することができる。また、図２（ａ）に示す水栓装置２は、第一操作部１７を操作することで、吐水口部４より湯水を吐出することができる。
【００３８】
図２（ｃ）、（ｅ）、（ｇ）、（ｈ）に示すようにハンドシャワー１４を設ける場合、接続管６にハンドシャワー１４のシャワーヘッド１６を着脱自在に保持する保持部材３４を接続管６の長手方向にスライド自在に設けることが好ましい。このようにすると、ハンドシャワー１４の使い勝手を良くすることができる。
【００３９】
なお、図２（ａ）〜（ｇ）に示す例では、シャワー装置３を接続しないシャワー接続部９、１０、２５が存在し、第一操作部１７や第二操作部２０を誤って操作したときに、シャワー接続部９、１０、２５から湯水が吐出する恐れがある。このため、シャワー装置３を接続しないシャワー接続部９、１０、２５に対する湯水の供給を遮断する手段を設けてもよい。
【００４０】
以上説明したように、水栓装置２は、吐水部（吐水口部４）を有する水栓本体５と、吐水部に通じる水路７より分岐して水栓本体５から上方に向かって延びる接続管６と、接続管６に異なる種類のシャワー装置３を選択的に接続するための接続手段を備えている。この構成により、接続管６に異なる種類のシャワー装置３の中から選択された任意のシャワー装置３を接続して利用することができる。従って、多様なニーズに対応できる。また、接続管６に選択的に接続されたシャワー装置３に共通の接続管６を用いて湯水を供給することができる。このため、各シャワー装置３にあっては、水栓本体５から当該シャワー装置３に湯水を供給するための配管の長さを短くすることができ、コストを抑えることができる。
【００４１】
また、本実施形態では、前記接続手段が種類の異なるシャワー装置３毎に設けられたシャワー接続部９、１０で構成されている。このため、複数種類のシャワー装置３の中から選択された複数のシャワー装置３を接続管６に接続することが可能になる。また、接続管６に複数のシャワー装置３を接続したとき、共通の接続管６を用いて水栓本体５から各シャワー装置３に湯水を供給することができる。この場合、水栓本体５から各シャワー装置３に湯水を供給するための配管の長さを短くすることができるので、利用の際に配管が邪魔になり難い。
【００４２】
（第二実施形態）
次に上記とは異なる実施形態を以下に示す。なお、以下の説明では第一実施形態と同一の構成については同一の番号を付与し、重複する説明は省略する。
【００４３】
本実施形態の水栓装置２は、図３（ａ）に示すように接続管６を覆うミラー３５を備えている。ミラー３５は、前方に開口するボックス３６の前面に開閉自在に設けられたものであり、ミラー３５とボックス３６でミラー付きボックスが構成されている。
【００４４】
ボックス３６は、水栓本体５よりも巾広で且つ上下長さが接続管６よりも長い矩形箱状に形成されており、水栓本体５の上方に隣接して設けられる。なお、ボックス３６は、水栓本体５に取り付けられて固定されるものであってもよいし、水栓本体５とは別に浴室の壁等に取り付けられて固定されるものであってもよい。
【００４５】
ボックス３６とこの前方に位置するミラー３５の間には、接続管６が収納される。接続管６及びこれに設けられた第二操作部２０はミラー３５を開くことで前方に露出し、これにより第二操作部２０は操作可能となる。
【００４６】
図３（ｂ）、（ｅ）、（ｆ）、（ｈ）に示されるように、オーバーヘッドシャワー１９は、接続管６に接続された状態で、被接続管２６の上部がボックス３６及びミラー３５よりも上方に突出する。これにより、被接続管２６の上端部に設けられたシャワーヘッド２７が露出し、利用可能となっている。
【００４７】
図３（ｄ）、（ｆ）、（ｇ）、（ｈ）に示されるように、アームシャワー１８は、接続管６に接続された状態で、各アーム部材３０の被接続管２１のアーム２２側の端部が、ボックス３６及びミラー３５よりも外側方に突出する。これにより、各アーム部材３０のアーム２２は露出し、利用可能となっている。
【００４８】
なお、図３（ｃ）、（ｅ）、（ｇ）、（ｈ）に示すようにハンドシャワー１４を設ける場合、ボックス３６に上下に長い棒状のスライドレール３７を設けてもよい。図示例のスライドレール３７は、上端部がボックス３６の側面の上端部に接続されており、下端部がボックス３６の側面の下端部に接続されている。このボックス３６の外側に位置するスライドレール３７には、ハンドシャワー１４のシャワーヘッド１６を着脱自在に保持する保持部材３４が上下方向にスライド自在に設けられ、これにより、ハンドシャワー１４の使い勝手を良くすることができる。
【００４９】
（第三実施形態）
次に上記とは異なる実施形態を以下に示す。なお、以下の説明では第一実施形態と同一の構成については同一の番号を付与し、重複する説明は省略する。
【００５０】
本実施形態では、図４に示すように、ハンドシャワー接続部２５が接続管６の上端部に設けられている。すなわち、本実施形態の接続手段は、オーバーヘッドシャワー１９、アームシャワー１８、及びハンドシャワー１４の三種類のシャワー装置３の中から選択された任意のシャワー装置３を接続管６に選択的に接続できるようになっている。
【００５１】
このため、本実施形態では、水栓本体５に設けられた第一操作部１７を操作することで、水路７における湯水の流れ方向を、吐水口部４側及び接続管６側のうちのいずれか一方に選択的に切り替えられるようになっている。
【００５２】
第一操作部１７によって操作される弁は、例えば水路７において吐水口部４側及び接続管６側の二方に分岐する個所に設けられた弁で構成される。この弁は、吐水口部４及び接続管６の夫々に供給される湯水の量を調節する機能（供給の有無の切り替えを含む）を有する。
【００５３】
なお、前記弁は湯水の吐出量を調節する機能を有さないものであってもよい。この場合、水路７の弁よりも上流側に流量調整機能を有する弁を設けたり、水路７の吐水口部４側及び接続管６側の夫々に流量調整機能を有する他の弁を設けたりすることで、上記同様に湯水の吐出量を調節することが可能になる。また、水路７における湯水の流れ方向を切り替える手段も前記弁に限定されるものではない。例えば、水路７において、吐水口部４側と接続管６側の夫々に開閉弁を設ける等してもよい。
【００５４】
また、第二操作部２０を操作することで、水栓本体５から接続管６に供給された湯水の流れ方向をシャワー接続部９側、オーバーヘッドシャワー接続口部１３側、及び図４のａ６に示すハンドシャワー１４側のうちの一方に切り替えられる。
【００５５】
本実施形態では、第一操作部１７を操作して水路７における湯水の流れ方向を接続管６側に切り替え、第二操作部２０を操作して接続管６における湯水の流れ方向をハンドシャワー１４側に切り替えることにより、ハンドシャワー１４を利用できる。
【００５６】
（第四実施形態）
次に上記とは異なる実施形態を以下に示す。なお、以下の説明では第三実施形態と同一の構成については同一の番号を付与し、重複する説明は省略する。
【００５７】
本実施形態では、図５に示すように、ハンドシャワー接続部２５が接続管６におけるシャワー接続部９、１０よりも上流側の位置に設けられている。接続管６において、ハンドシャワー接続部２５側と、シャワー接続部９、１０を設けた上端部側とに分岐する箇所の前面には、第三操作部３９が設けられている。
【００５８】
第三操作部３９を操作することで、水栓本体５から接続管６に供給された湯水の流れ方向を、シャワー接続部９、１０側、及び図５のａ７に示すハンドシャワー１４側のうちのいずれか一方に選択的に切り替えられるようになっている。
【００５９】
すなわち、本実施形態では、第一操作部１７を操作して水路７における湯水の流れ方向を接続管６側に切り替え、第三操作部３９を操作して接続管６における湯水の流れ方向をハンドシャワー１４側に切り替えることにより、ハンドシャワー１４を利用できる。
【００６０】
なお、本実施形態や第三実施形態でも第二実施形態と同様のミラー付きボックスを設けても構わない。また、前記各実施形態において、水栓装置２や接続管６に選択的に接続されるシャワー装置３の種類は限定されるものではない。また、接続手段は、接続管６に複数種類のシャワー装置３の中から選択された一種類のシャワー装置３のみを接続可能にするものであってもよい。また、水栓装置２や接続管６には、四種類以上のシャワー装置３を選択的に接続できるようにしても構わない。
【符号の説明】
【００６１】
３  シャワー装置
５  水栓本体
６  接続管
９  シャワー接続部
１０  シャワー接続部
【図１】
2013126472.tif 000003
【図２】
2013126472.tif 000004
【図３】
2013126472.tif 000005
【図４】
2013126472.tif 000006
【図５】
2013126472.tif 000007